(57)【要約】【課題】  信号線や電源線を介した高周波信号の外部への漏洩をコイルを用いることなく防止する。【解決手段】  所定波長を有する高周波信号に所定の処理を施す高周波回路と、該高周波回路を外部から電気的に遮蔽した状態で収納する筐体と、該筐体に設けられ、高周波回路に電力を供給するための電力線あるいは／及び高周波信号を含まない信号を伝送する信号線が貫通する貫通コンデンサとから成る高周波装置であって、電力線あるいは／及び信号線は、高周波回路の出力点から貫通コンデンサまでの長さが高周波信号の伝送を阻止する寸法に設定されている。【選択図】      図２
2005310897.tif 000002
【特許請求の範囲】
【請求項１】
所定波長を有する高周波信号に所定の処理を施す高周波回路と、該高周波回路を外部から電気的に遮蔽した状態で収納する筐体と、該筐体に設けられ、高周波回路に電力を供給するための電力線あるいは／及び前記高周波信号を含まない信号を伝送する信号線が貫通する貫通コンデンサとから成る高周波装置であって、
前記電力線あるいは／及び信号線は、高周波回路の出力点から貫通コンデンサまでの長さが高周波信号の伝送を阻止する寸法に設定されている
ことを特徴とする高周波装置。
【請求項２】
前記電力線あるいは／及び信号線の長さは、高周波信号の周波数の１／４波長に相当する寸法であることを特徴とする請求項１記載の高周波装置。
【請求項３】
高周波回路は、発振器で発信した所定波長の高周波信号を増幅して送信信号を生成すると共に、該送信信号が対象物に反射して受信された受信信号と前記送信信号とをミキシングして検波することにより受信信号に含まれる低周波信号を検波信号として出力するドップラレーダ回路であることを特徴とする請求項１または２記載の高周波装置。
【発明の詳細な説明】
【技術分野】
【０００１】
本発明は、高周波装置に関する。
【背景技術】
【０００２】
一般的に、マイクロ波等の高周波信号を取り扱う高周波装置では、高周波信号が電波として外部に漏れ出すことを防止するために高周波回路をシールドケース内に収納する一方、高周波信号が電源線や高周波信号以外の低周波信号を伝送する信号線を介して外部に漏れ出すことを防止するために当該信号線や電源線をシールドケースに設けられた貫通コンデンサを介して外部に引き出すと共に上記該貫通コンデンサと共に高周波信号の伝搬を阻止するフィルタを構成する回路素子を信号線や電源線に挿入する。
上記フィルタは、例えば低域通過フィルタであり、この場合の回路素子は該貫通コンデンサの静電容量と共に低域通過フィルタを構成するコイル（インダクタンス）である。
以下の公知文献には、このような高周波装置の一例が開示されている。
【非特許文献１】書籍：高周波回路設計ノウハウ（ＣＱ出版社  吉田武 著）
【発明の開示】
【発明が解決しようとする課題】
【０００３】
ところで、高周波回路ではコイルにおけるインダクタンスの調整が煩雑であり、極力コイルを使用しない回路構成が好ましい。
また、上記低域通過フィルタは、コイルと貫通コンデンサとによって構成される低域通過フィルタであり、高周波信号の周波数において大きな減衰量を有していないため、高周波信号の漏洩を十分に防止することができない。これに対して、低域通過フィルタの次数を上げて高周波信号の減衰量を増大させることが考えられるが、この場合には信号線や電源線に挿入する回路素子の素子数が増大するので、高周波装置の構成が複雑になると共にコストアップとなるばかりか、はさらに多くのコイルが必要になることも考えられる。
【０００４】
本発明は、上述した事情に鑑みてなされたものであり、以下の点を目的とする
（１）信号線や電源線を介した高周波信号の外部への漏洩をコイルを用いることなく防止する。
（２）高周波信号の外部への漏洩レベルを従来よりも低減する。
【課題を解決するための手段】
【０００５】
上記目的を達成するために、本発明では、所定波長を有する高周波信号に所定の処理を施す高周波回路と、該高周波回路を外部から電気的に遮蔽した状態で収納する筐体と、該筐体に設けられ、高周波回路に電力を供給するための電力線あるいは／及び高周波信号を含まない信号を伝送する信号線が貫通する貫通コンデンサとから成る高周波装置であって、電力線あるいは／及び信号線は、高周波回路の出力点から貫通コンデンサまでの長さが高周波信号の伝送を阻止する寸法に設定されている、という解決手段を採用する。
【発明の効果】
【０００６】
このような本発明によれば、電力線あるいは／及び信号線において高周波回路の出力点から貫通コンデンサまでの長さを調節することによって高周波信号の外部への伝送を阻止するので、極めて簡単な手段で高周波信号の外部への漏洩を防止することができる。
また、電力線あるいは／及び信号線において高周波回路の出力点から貫通コンデンサまでの長さを例えば高周波信号の周波数の１／４波長に相当する寸法に設定した場合には、電力線あるいは／及び信号線の伝達特性には高周波信号の周波数に相当するノッチ周波数が発生するので、高周波信号の外部への漏洩レベルを従来のコイルを用いた場合よりも低減することが可能である。
さらに、極めて簡単な手段を用いるので、高周波装置の製作期限の短縮やコストダウンを図ることも可能である。
【発明を実施するための最良の形態】
【０００７】
以下、図面を参照して、本発明の一実施形態について説明する。
図１は、本実施形態に係るドップラレーダモジュールＡの機能構成を示すブロック図である。この図１において、符号Ｃはアルミ筐体、１は発振器、２は第１アンプ、３は第２アンプ、４は第３アンプ、５はサーキュレータ、６はミキサ、７は検波器、８Ａ〜８Ｃは貫通コンデンサである。
【０００８】
アルミ筐体Ｃは、アルミダイキャスト製の略方形状筐体であり、プリント配線板Ｂ上に実装された発振器１、第１アンプ２、第２アンプ３、第３アンプ４、サーキュレータ５、ミキサ６及び検波器７からなる高周波回路を電気的に遮蔽した状態で収納する。発振器１は、所定周波数ｆ0の正弦波信号を発生して第１アンプ２に出力する。この正弦波信号の周波数ｆ0は、約１０ＧＨｚのマイクロ波帯である。
【０００９】
第１アンプ２は、発振器１と第２アンプ３との緩衝機能を有するバッファアンプであり、上記発振器１から入力された正弦波信号をバッファリングして第２アンプ３に出力する。上記発振器１及び第１アンプ２には、アルミ筐体Ｃの外部から貫通コンデンサ８Ｃを介して３．３Ｖの直流電源が供給されている。
【００１０】
第２アンプ３は、電圧増幅増幅器であり、第１アンプ２から入力された正弦波信号を電圧増幅して第３アンプ４に出力する。第３アンプ４は、電力増幅増幅器であり、第２アンプ３から入力された正弦波信号を電力増幅してサーキュレータ５及びミキサ６に出力する。第３アンプ４は、正弦波信号の殆どの電力をサーキュレータ５に供給し、残り微小電力をミキサ６に出力する。上記第２アンプ３及び第３アンプ４には、アルミ筐体Ｃの外部から貫通コンデンサ８Ｂを介して８Ｖの直流電源が供給されている。
【００１１】
サーキュレータ５は、第２アンプ３から入力された正弦波信号を送信信号として外部アンテナに供給すると共に、当該外部アンテナから入力された受信信号をミキサ６に出力する。この外部アンテナは、送信信号を電波（送信波）として対象物に向けて放射すると共に、当該対象物で反射された反射波を受信して受信信号を出力するものである。ここで、受信信号の周波数は、周知のように対象物の速度に応じてドップラ周波数ｆdだけドップラシフト（周波数偏移）したものとなる。
【００１２】
ミキサ６は、サーキュレータ５から入力された受信信号と第３アンプ４から入力された正弦波信号（すなわち送信信号）をミキシングすることにより送信信号の周波数ｆ0と受信信号の周波数ｆr（＝ｆ0＋ｆd）との差周波数ｆd及び和周波数（２ｆ0＋ｆd）を含むミキサ信号を生成して検波器７に出力する。検波器７は、上記ミキサ信号の中から差周波数ｆdに相当するドップラ信号を取り出し貫通コンデンサ８Ａを介してアルミ筐体Ｃの外部に出力する。
【００１３】
貫通コンデンサ８Ａ〜８Ｃは、上記アルミ筐体Ｃに設けられた３端子貫通コンデンサである。これら貫通コンデンサ８Ａ〜８Ｃのうち、貫通コンデンサ８Ａは検波器７の出力点からアルミ筐体Ｃの外部に引き出されるドップラ信号の信号線Ｒaが貫通し、貫通コンデンサ８Ｂはアルミ筐体Ｃの外部から発振器１及び第１アンプ２の給電点に３．３Ｖの直流電源を給電する電力線Ｒbが貫通し、貫通コンデンサ８Ｃはアルミ筐体Ｃの外部から第２アンプ３及び第３アンプ４の給電点に８Ｖの直流電源を給電する電力線Ｒcが貫通する。
【００１４】
図２は、一例としてプリント配線板Ｂ上における検波器７の出力点から貫通コンデンサ８Ａへの信号線Ｒaの敷設状態を示す断面図である。本実施形態では、上記出力点から貫通コンデンサ８Ａまでの信号線Ｒaの長さＬaは、送信信号の波長λ0（＝１／ｆ0）の１／４に設定されている。また、図示は割愛するが、プリント配線板Ｂ上における８Ｖ直流電源の給電点から貫通コンデンサ８Ｂまでの電力線Ｒbの長さＬb及びプリント配線板Ｂ上における３．３Ｖ直流電源の給電点から貫通コンデンサ８Ｃまでの電力線Ｒcの長さＬcも同様に送信信号の波長λ0（＝１／ｆ0）の１／４に設定されている。
【００１５】
次に、このように構成されたドップラレーダモジュールＡの要部作用について、図３をも参照して説明する。なお、図３は、上記信号線Ｒa及び電力線Ｒb，Ｒcの伝達特性を示す特性図である。
【００１６】
上記高周波回路は、周波数がマイクロ波帯の高周波信号つまり正弦波信号（送信信号）あるいは受信信号を取り扱うのものであり、このような高周波信号が不要に外部に輻射されないように電気的に遮蔽された状態でアルミ筐体Ｃ内に収納されている。また、高周波信号が上記高周波信号を含まない信号（つまりドップラ信号、８Ｖ直流電源あるいは３．３Ｖ直流電源）を伝送する信号線Ｒaや電力線Ｒb，Ｒcを介してアルミ筐体Ｃの外部に漏洩することを防止するために、貫通コンデンサ８Ａ〜８Ｃを設けると共に上記信号線Ｒaや電力線Ｒb，Ｒcの長さＬa，Ｌb，Ｌcが何れも送信信号の波長λ0（＝１／ｆ0）の１／４に設定されている。
【００１７】
図３は、信号線Ｒa及び電力線Ｒb，Ｒcの伝達特性を示す特性図である。信号線Ｒa及び電力線Ｒb，Ｒcの各長さＬa，Ｌb，Ｌcが送信信号の波長λ0（＝１／ｆ0）の１／４に設定されることにより、貫通コンデンサ８Ａ〜８Ｃのインピーダンス及び信号線Ｒa及び電力線Ｒb，Ｒcのインピーダンスによって規定される信号線Ｒa及び電力線Ｒb，Ｒcの伝達特性は図示するようにノッチ周波数ｆnを有する特性となる。このノッチ周波数ｆnは、信号線Ｒa及び電力線Ｒb，Ｒcの長さＬa，Ｌb，Ｌcを送信信号の波長λ0の１／４に設定することによって伝達特性上に現れるものであり、送信信号の周波数ｆ0に相当する。
【００１８】
このような本実施形態によれば、検波器７の出力点から貫通コンデンサ８Ａまでの信号線Ｒaの長さＬaを送信信号の波長λ0の１／４に設定することによって信号線Ｒaの伝達特性に送信信号の周波数ｆ0に相当するノッチ周波数ｆnを発生されるので、信号線Ｒaにおける送信信号の周波数ｆ0の減衰量を従来のコイルを用いた場合よりも大きくすることが可能である。
【００１９】
従来では信号の出力点と貫通コンデンサとの間にコイルを挿入することによって当該コイルと貫通コンデンサとによってローパスフィルタを形成するが、この場合には上述したノッチ周波数ｆnは発生しないので、送信信号の周波数ｆ0の減衰量を大きく取ることはできない。しかし、本実施形態では、検波器７の出力点から貫通コンデンサ８Ａまでの信号線Ｒaの長さＬaを送信信号の波長λ0の１／４に設定するという簡単な手段によって従来のコイルを用いた場合よりも信号線Ｒaを介してアルミ筐体Ｃの外部に漏洩する送信信号のレベルを大幅に低減させることが可能である。また、このような効果は、上記信号線Ｒaだけではなく、２つの電力線Ｒb，Ｒcについても全く同様である。
【００２０】
また、本実施形態によれば、従来のようにコイルを用いないので、ドップラレーダモジュールＡの製作期限の短縮やコストダウンを図ることも可能である。
【００２１】
なお、上記実施形態はドップラレーダモジュールＡに関するものであるが、本発明はこれに限定されるものではなく、各種の高周波回路を内蔵する高周波装置に適用可能である。
【図面の簡単な説明】
【００２２】
【図１】本発明の一実施形態に係わるドップラレーダモジュールＡの機能構成を示すブロック図である。
【図２】本発明の一実施形態においてプリント配線板Ｂ上における検波器７の出力点から貫通コンデンサ８Ａへの信号線Ｒaの敷設状態を示す断面図である。
【図３】本発明の一実施形態における信号線Ｒa及び電力線Ｒb，Ｒcの伝達特性を示す特性図である。
【符号の説明】
【００２３】
Ａ…ドップラレーダモジュール、Ｃ…アルミ筐体、１…発振器、２…第１アンプ、３…第２アンプ、４…第３アンプ、５…サーキュレータ、６…ミキサ、７…検波器、８Ａ〜８Ｃ…貫通コンデンサ
【図１】
2005310897.tif 000003
【図２】
2005310897.tif 000004
【図３】
2005310897.tif 000005